(57)【要約】      （修正有）【課題】光トランシーバとケージとの係合状態をより確実に解除することができる光トランシーバ及び光トランシーバ挿抜機構を提供する。【解決手段】光トランシーバは、第１方向に沿ってケージに挿抜される光トランシーバであって、ケージが有するタブ４３と係合してケージからの光トランシーバの抜出を防ぐ突起２１ｅを有する筐体と、筐体に取り付けられ、筐体に対して相対的に第１方向に沿って移動するスライダと、第１方向と交差する第２方向に延びる揺動軸２４ａを介して筐体に揺動可能に支持され、スライダの移動と連動してタブ４３を第１方向及び第２方向と交差する第３方向に押すことによりタブ４３と突起２１ｅとの係合を解除させるプッシャー２４と、を備える。揺動軸は、スライダとプッシャーとの連動部位に対して抜出方向に位置する。【選択図】図６
2018191278.tif 000002
【特許請求の範囲】
【請求項１】
第１方向に沿ってケージに挿抜される光トランシーバであって、
前記ケージが有する第１係合部と係合して前記ケージからの前記光トランシーバの抜出を防ぐ第２係合部を有する筐体と、
前記筐体に取り付けられ、前記筐体に対して相対的に前記第１方向に沿って移動するスライダと、
前記第１方向と交差する第２方向に延びる揺動軸を介して前記筐体に揺動可能に支持され、前記スライダの移動と連動して前記第１係合部を前記第１方向及び前記第２方向と交差する第３方向に押すことにより前記第１係合部と前記第２係合部との係合を解除させるプッシャーと、を備え、
前記揺動軸が前記スライダと前記プッシャーとの連動部位に対して抜出方向に位置する、光トランシーバ。
【請求項２】
前記スライダに固定されたプルタブを更に備える、請求項１に記載の光トランシーバ。
【請求項３】
前記スライダの移動に連動して前記プッシャーを揺動させる機構が、前記スライダ及び前記プッシャーの一方に設けられ前記第１方向に対して傾斜する斜面と、前記スライダ及び前記プッシャーの他方に設けられ前記斜面と当接する当接部と、を有する、請求項１または２に記載の光トランシーバ。
【請求項４】
前記プッシャーが、前記スライダに向けて凸であって前記当接部を含む凸形状を有し、
前記スライダが、前記斜面を含み前記凸形状に倣う凹形状を有する、請求項３に記載の光トランシーバ。
【請求項５】
前記揺動軸及び前記連動部位が、前記第２方向における前記プッシャーの略中央部に位置する、請求項１〜４のいずれか一項に記載の光トランシーバ。
【請求項６】
前記プッシャーにおける前記第１係合部を押す位置と前記揺動軸との距離が、前記連動部位と前記揺動軸との距離よりも長い、請求項１〜５のいずれか一項に記載の光トランシーバ。
【請求項７】
前記筐体に固定されて前記スライダを挿入方向に付勢する弾性部材を更に備える、請求項１〜６のいずれか一項に記載の光トランシーバ。
【請求項８】
前記第２係合部は、前記筐体から前記第３方向に突出する第１突起を有し、該第１突起が前記第１係合部の開口部に係合する、請求項１〜７のいずれか一項に記載の光トランシーバ。
【請求項９】
前記プッシャーは第２突起を有し、前記第２突起が前記開口部の内縁を押すことにより前記第１係合部と前記第２係合部との係合を解除させる、請求項８に記載の光トランシーバ。
【請求項１０】
前記第１突起は、前記第３方向に延在する溝を前記開口部との係合面に有し、
前記プッシャーの前記第２突起は前記溝内を前記第３方向に移動する、請求項９に記載の光トランシーバ。
【請求項１１】
第１方向に延びており一端に開口を有するケージと、前記開口を通じて前記ケージに挿抜される光トランシーバと、を備え、
前記ケージは、
前記光トランシーバを収容する空間を有するケージ本体と、
前記第１方向に沿って延びており、前記開口側の一端が前記ケージ本体に固定されるとともに他端が自由端となっており、前記他端が前記第１方向と交差する第３方向に弾性的に変位可能である第１係合部と、を有し、
前記光トランシーバは、
前記第１係合部と係合して前記ケージからの前記光トランシーバの抜出を防ぐ第２係合部を有する筐体と、
前記筐体に取り付けられ、前記筐体に対して相対的に前記第１方向に沿って移動するスライダと、
前記第１方向及び前記第３方向と交差する第２方向に延びる揺動軸を介して前記筐体に揺動可能に支持され、前記スライダの移動に連動して前記第１係合部を前記第３方向に押すことにより前記第１係合部と前記第２係合部との係合を解除させるプッシャーと、を有し、
前記揺動軸が前記スライダと前記プッシャーとの連動部位に対して抜出方向に位置する、光トランシーバ挿抜機構。
【発明の詳細な説明】
【技術分野】
【０００１】
本発明は、光トランシーバ及び光トランシーバ挿抜機構に関するものである。
【背景技術】
【０００２】
特許文献１には、ホスト装置のケージに挿入される光トランシーバの構造が開示されている。この光トランシーバは、筐体に沿ってスライドするスライド部材を備える。スライド部材は、筐体に沿ってスライドする際、ホスト装置のケージの係合片との係合を解除するように、側方の突起によって係合片を外側に押し出す。
【先行技術文献】
【特許文献】
【０００３】
【特許文献１】特開２０１４−１５３３８１号公報
【発明の概要】
【発明が解決しようとする課題】
【０００４】
図１７は、従来の光トランシーバ挿抜機構（例えば特許文献１を参照）におけるケージ１０１の係合片１０２と光トランシーバのスライド部材１０３とを拡大して示す断面図である。ケージ１０１の係合片１０２は、ケージ１０１の開口側に位置する一端と、ケージ１０１の開口とは反対側に位置する他端とを有する。係合片１０２の一端はケージ１０１の側壁と繋がっており、係合片１０２の他端は自由端となっている。スライド部材１０３は、側方に突起１０３ａを有しており、光トランシーバの筐体１０４に沿ってスライドする。図１７（ａ）に示すように、光トランシーバがケージ１０１に挿入されている状態では、ケージ１０１の係合片１０２は光トランシーバの側面の段差（不図示）と係合しており、光トランシーバの意図しない抜出が防止される。また、図１７（ｂ）に示すように、光トランシーバをケージ１０１から抜出する際には、スライド部材１０３がケージ１０１の開口側にスライドし、突起１０３ａが係合片１０２を外側へ押し出すことにより、係合片１０２と段差との係合が解除される。
【０００５】
上記の光トランシーバ挿抜機構では、ケージ１０１の開口側に位置する係合片１０２の一端がケージ１０１の側壁と繋がっている。これに対し、開口とは反対側の係合片の一端がケージの側壁と繋がっている構成も考えられる。図１８は、そのような光トランシーバ挿抜機構におけるケージ２０４の係合片２０１付近の構造を拡大して示す断面図である。ケージ２０４の係合片２０１は、ケージ２０４の開口とは反対側に位置する一端と、ケージ２０４の開口側に位置する他端とを有する。係合片２０１の一端はケージ２０４の側壁と繋がっており、係合片２０１の他端は自由端となっている。更に、光トランシーバをケージ２０４に挿入する際に光トランシーバの筐体２０２側面の突起２０２ａと係合片２０１の他端とが干渉することを防ぐため、係合片２０１の他端は、外側へ向けて湾曲している。図１８（ａ）に示すように、光トランシーバがケージ２０４に挿入されている状態では、ケージ２０４の係合片２０１に形成された穴２０１ａが光トランシーバの突起２０２ａと係合しており、光トランシーバの意図しない抜出が防止される。また、図１８（ｂ）に示すように、光トランシーバをケージ２０４から抜出する際には、係合片２０１が外側へ押し出されて係合片２０１の穴２０１ａと突起２０２ａとの係合が解除される。
【０００６】
ここで、図１９（ａ）に示すように、側方に突起２０３ａを有するスライド部材２０３をスライドさせることによって係合片２０１を外側へ押し出す構成が考えられる。しかしながらこの場合、図１９（ｂ）に示すように、スライド部材２０３をスライドさせるほど、係合片２０１を外側へ押し出す作用が弱くなるので、最終的に係合状態を解除できない虞がある。特に、この例では係合片２０１の他端が外側へ向けて湾曲しているため、その虞が顕著となる。
【０００７】
本発明は、このような問題点に鑑みてなされたものであり、光トランシーバとケージとの係合状態をより確実に解除することができる光トランシーバ及び光トランシーバ挿抜機構を提供することを目的とする。
【課題を解決するための手段】
【０００８】
上述した課題を解決するために、一実施形態に係る光トランシーバは、第１方向に沿ってケージに挿抜される光トランシーバであって、ケージが有する第１係合部と係合してケージからの光トランシーバの抜出を防ぐ第２係合部を有する筐体と、筐体に取り付けられ、筐体に対して相対的に第１方向に沿って移動するスライダと、第１方向と交差する第２方向に延びる揺動軸を介して筐体に揺動可能に支持され、スライダの移動と連動して第１係合部を第１方向及び第２方向と交差する第３方向に押すことにより第１係合部と第２係合部との係合を解除させるプッシャーと、を備え、揺動軸がスライダとプッシャーとの連動部位に対して抜出方向に位置する。
【０００９】
一実施形態に係る光トランシーバ挿抜機構は、第１方向に延びており一端に開口を有するケージと、開口を通じてケージに挿抜される光トランシーバと、を備え、ケージは、光トランシーバを収容する空間を有するケージ本体と、第１方向に沿って延びており、開口側の一端がケージ本体に固定されるとともに他端が自由端となっており、他端が第１方向と交差する第３方向に弾性的に変位可能である第１係合部と、を有し、光トランシーバは、第１係合部と係合してケージからの光トランシーバの抜出を防ぐ第２係合部を有する筐体と、筐体に取り付けられ、筐体に対して相対的に第１方向に沿って移動するスライダと、第１方向及び第３方向と交差する第２方向に延びる揺動軸を介して筐体に揺動可能に支持され、スライダの移動に連動して第１係合部を第３方向に押すことにより第１係合部と第２係合部との係合を解除させるプッシャーと、を有し、揺動軸がスライダとプッシャーとの連動部位に対して抜出方向に位置する。
【発明の効果】
【００１０】
本発明による光トランシーバ及び光トランシーバ挿抜機構によれば、光トランシーバとケージとの係合状態をより確実に解除することができる。
【図面の簡単な説明】
【００１１】
【図１】図１は、一実施形態に係る光トランシーバ挿抜機構の構成を示す斜視図である。
【図２】図２は、光トランシーバの外観を示す斜視図である。
【図３】図３は、プルタブが抜出方向に引っ張られた状態を示す斜視図である。
【図４】図４は、スライダを拡大して示す斜視図である。
【図５】図５は、光トランシーバが挿入された状態のケージの本体部の底板付近の構成を詳細に示す斜視図である。
【図６】図６は、タブ付近の筐体の構成を詳細に示す斜視断面図である。
【図７】図７は、プッシャーの外観を示す斜視図である。
【図８】図８は、プッシャーの動作を示す側面図である。
【図９】図９は、スライダを自動的に前方に移動させるための弾性部材を示す斜視図である。
【図１０】図１０は、一変形例に係るプッシャーの外観を示す斜視図である。
【図１１】図１１は、一変形例に係るプッシャーの外観を示す斜視図である。
【図１２】図１２は、一変形例における筐体の底面の形状を示す斜視図である。
【図１３】図１３は、プッシャーを筐体の底面に取りつけた様子を示す斜視図である。
【図１４】図１４は、プッシャーの動作の様子を示す斜視図である。
【図１５】図１５は、プッシャーの動作の様子を示す斜視図である。
【図１６】図１６は、図１５のXVI−XVI線に沿った斜視断面図である。
【図１７】図１７は、従来の光トランシーバ挿抜機構におけるケージの係合片と光トランシーバのスライド部材とを拡大して示す断面図である。
【図１８】図１８は、光トランシーバ挿抜機構におけるケージの係合片付近の構造を拡大して示す断面図である。
【図１９】図１９は、図１８に示した光トランシーバ挿抜機構の具体例を示す図である。
【発明を実施するための形態】
【００１２】
［本発明の実施形態の説明］
最初に、本発明の実施形態の内容を列記して説明する。一実施形態に係る光トランシーバは、第１方向に沿ってケージに挿抜される光トランシーバであって、ケージが有する第１係合部と係合してケージからの光トランシーバの抜出を防ぐ第２係合部を有する筐体と、筐体に取り付けられ、筐体に対して相対的に第１方向に沿って移動するスライダと、第１方向と交差する第２方向に延びる揺動軸を介して筐体に揺動可能に支持され、スライダの移動と連動して第１係合部を第１方向及び第２方向と交差する第３方向に押すことにより第１係合部と第２係合部との係合を解除させるプッシャーと、を備え、揺動軸がスライダとプッシャーとの連動部位に対して抜出方向に位置する。
【００１３】
この光トランシーバをケージから抜出する際には、例えばスライダに固定されたプルタブが引っ張られる等により、スライダが筐体に対して相対的に移動する。そして、このスライダの移動と連動して、プッシャーが揺動軸周りに揺動する。これによりプッシャーは、第１係合部を押して第１係合部と第２係合部との係合を解除させる。更に、この光トランシーバでは、揺動軸がスライダとプッシャーとの連動部位に対して抜出方向に位置する。従って、スライダを抜出方向に移動させるほど、プッシャーが第１係合部を押す作用が強くなる。故に、この光トランシーバによれば、図１９に示された構成と比較して、光トランシーバとケージとの係合状態をより確実に解除することができる。
【００１４】
上記の光トランシーバは、スライダに固定されたプルタブを更に備えてもよい。この場合、作業者がプルタブを引っ張ることによってスライダを容易に移動させることができる。
【００１５】
上記の光トランシーバにおいて、スライダの移動と連動してプッシャーを揺動させる機構は、スライダ及びプッシャーの一方に設けられ第１方向に対して傾斜する斜面と、スライダ及びプッシャーの他方に設けられ斜面と当接する当接部と、を有してもよい。この場合、スライダが移動すると、当接部が斜面と当接しながら斜面に沿って相対的に移動する。従って、スライダの移動と連動してプッシャーを容易に揺動させることができる。
【００１６】
上記の光トランシーバにおいて、プッシャーは、スライダに向けて凸であって当接部を含む凸形状を有し、スライダは、斜面を含み凸形状に倣う凹形状を有してもよい。これにより、スライダ及びプッシャーが占める空間の体積を減らすことができ、光トランシーバの小型化に寄与できる。
【００１７】
上記の光トランシーバにおいて、揺動軸及び連動部位は、第２方向におけるプッシャーの略中央部に位置してもよい。この場合、プッシャーの支点と力点とがプッシャーの略中央部に並ぶので、揺動時のプッシャーの捻れを抑制できる。
【００１８】
上記の光トランシーバにおいて、プッシャーにおける第１係合部を押す位置と揺動軸との距離は、連動部位と揺動軸との距離よりも長くてもよい。この場合、プッシャーの連動部位の揺動距離と比べて第１係合部を押す位置の揺動距離が長くなるので、プッシャーが第１係合部を効率良く押すことができる。
【００１９】
上記の光トランシーバは、筐体に固定されてスライダを挿入方向に付勢する弾性部材を更に備えてもよい。この場合、移動後のスライダを元の位置に容易に戻すことができる。
【００２０】
上記の光トランシーバにおいて、第２係合部は、筐体から第３方向に突出する第１突起を有し、該第１突起が第１係合部の開口部に係合してもよい。例えばこのような構成により、第２係合部が第１係合部と係合して、ケージからの光トランシーバの抜出を防ぐことができる。そして、この場合、プッシャーが第２突起を有し、第２突起が開口部の内縁を押すことにより第１係合部と第２係合部との係合を解除させてもよい。更に、第１突起は、第３方向に延在する溝を開口部との係合面に有し、プッシャーの第２突起は、該溝内を第３方向に移動してもよい、第２突起が開口部の内縁を押すことにより第１係合部と第２係合部との係合を解除させてもよい。これにより、開口部の内縁が第１突起に引っ掛かる（スタックする）ことを抑制し、第１係合部と第２係合部との係合状態をより確実に解除することができる。
【００２１】
一実施形態に係る光トランシーバ挿抜機構は、第１方向に延びており一端に開口を有するケージと、開口を通じてケージに挿抜される光トランシーバと、を備え、ケージは、光トランシーバを収容する空間を有するケージ本体と、第１方向に沿って延びており、開口側の一端がケージ本体に固定されるとともに他端が自由端となっており、他端が第１方向と交差する第３方向に弾性的に変位可能である第１係合部と、を有し、光トランシーバは、第１係合部と係合してケージからの光トランシーバの抜出を防ぐ第２係合部を有する筐体と、筐体に取り付けられ、筐体に対して相対的に第１方向に沿って移動するスライダと、第１方向及び第３方向と交差する第２方向に延びる揺動軸を介して筐体に揺動可能に支持され、スライダの移動に連動して第１係合部を第３方向に押すことにより第１係合部と第２係合部との係合を解除させるプッシャーと、を有し、揺動軸がスライダとプッシャーとの連動部位に対して抜出方向に位置する。この光トランシーバ挿抜機構によれば、上述した光トランシーバと同様に、光トランシーバとケージとの係合状態をより確実に解除することができる。
【００２２】
［本発明の実施形態の詳細］
本発明の実施形態に係る光トランシーバ及び光トランシーバ挿抜機構の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００２３】
図１は、本実施形態に係る光トランシーバ挿抜機構１の構成を示す斜視図である。同図に示すように、光トランシーバ挿抜機構１は、光トランシーバ２と、ホスト装置３に設けられたケージ４とを備える。ホスト装置３は、プリント配線基板３１を有しており、プリント配線基板３１の実装面３１ａ上には多数の電子部品が実装されている。ケージ４もまた実装面３１ａ上に実装されている。ケージ４は、挿抜方向（第１方向）Ａ１に沿って延びるケージ本体４１を有する。挿抜方向Ａ１に垂直なケージ本体４１の断面形状は、例えば長方形である。ケージ本体４１は、光トランシーバ２を収容する空間を有する。また、ケージ本体４１は、挿抜方向Ａ１における該空間の一端に、開口４２を有する。開口４２は、プリント配線基板３１の縁に位置し、プリント配線基板３１の外方を向いている。ケージ４は例えば金属製である。なお、以下の説明において、ケージ４の開口４２とは反対側の端部に向く方向を前方と称し、ケージ４の開口４２に向く方向を後方と称することがある。
【００２４】
光トランシーバ２は、ＳＦＰ規格に準拠しており、全二重双方向光通信を行う。光トランシーバ２は、挿抜方向Ａ１に沿って、開口４２を通じてケージ４のケージ本体４１に対し挿抜（挿入及び抜出）される。図２は、光トランシーバ２の外観を示す斜視図である。同図に示すように、光トランシーバ２は、筐体２１、スライダ２２、及びプルタブ２３を備える。筐体２１は、挿抜方向Ａ１に沿って延びる細長形状の金属部材である。挿抜方向Ａ１に垂直な筐体２１の断面形状は、例えば長方形である。筐体２１は、挿抜方向Ａ１に沿って延びる一対の側面２１ａ，２１ｂと、上面２１ｃと、底面２１ｄとを有する。また、筐体２１は、光ファイバの先端に設けられた光コネクタと結合する一対の光レセプタクル２１１，２１２を、挿抜方向Ａ１における一端に収容している。更に、筐体２１は、ケージ４の内部に設けられた電気的なコネクタと接続される電気的なコネクタを、挿抜方向Ａ１における他端に収容している。なお、以下の説明において、光トランシーバ２の電気的コネクタ側の一端に向く方向を前方と称し、光レセプタクル２１１，２１２側の一端に向く方向を後方と称することがある。
【００２５】
スライダ２２は、筐体２１に取り付けられ、筐体２１に対して相対的に挿抜方向Ａ１に沿って移動する部材である。スライダ２２は、例えば金属製であり、筐体２１の後端寄りの位置に設けられている。スライダ２２は、筐体２１の長方形状の断面における３辺を囲んでおり、板状の部材を折り曲げることにより形成されている。
【００２６】
プルタブ２３は、スライダ２２に固定された略Ｕ字状の部材である。プルタブ２３は、例えば樹脂製である。プルタブ２３は、筐体２１よりも柔らかい材料（例えば樹脂）によって構成されている。略Ｕ字状のプルタブ２３とスライダ２２とが結合されることによって、環が構成される。作業者は、この環の中に指を差し込むことによって、プルタブ２３を抜出方向に引っ張ることができる。なお、プルタブ２３は、作業者がつまむ等によって抜出方向に引っ張ることができればよく、その形状は略Ｕ字状に限られない。
【００２７】
図３は、プルタブ２３が抜出方向に引っ張られた状態を示す斜視図である。同図に示すように、プルタブ２３が抜出方向に引っ張られると、プルタブ２３に加えられた力がスライダ２２に伝わり、スライダ２２が筐体２１に対して相対的に後方に移動する。なお、プルタブ２３を引っ張る力がなくなると、後述する弾性部材の作用によって、スライダ２２は自動的に、筐体２１に対して相対的に前方に移動し、元の位置に戻る。
【００２８】
図４は、スライダ２２を拡大して示す斜視図である。同図に示すように、スライダ２２は、一対の側板２２ａ，２２ｂと、これらの側板２２ａ，２２ｂ同士を繋ぐ底板２２ｃとを有する。側板２２ａ，２２ｂは、それぞれ筐体２１の側面２１ａ，２１ｂ上に位置し、これらの側面２１ａ，２１ｂに沿ってそれぞれ延びている。底板２２ｃは、筐体２１の底面２１ｄ上に位置し、底面２１ｄに沿って延びている。底板２２ｃの前方の端縁（すなわち筐体２１の他端側の底板２２ｃの端縁）からは、挿抜方向Ａ１に沿って延びる突起２２ｄが前方に向けて突出している。突起２２ｄは、光トランシーバ２の外側に向けて平板が屈曲された形状を有し、その外面には斜面２２ｅが設けられている。斜面２２ｅは、底板２２ｃから離れるにつれて次第に筐体２１から離れるように、挿抜方向Ａ１に対して傾斜している。また、スライダ２２の底板２２ｃには、挿抜方向Ａ１と交差する（例えば直交する）方向Ａ２（第２方向）に並ぶ一対の斜面２２ｆが設けられている。これらの斜面２２ｆは、突起２２ｄに近づくにつれて次第に筐体２１に近づくように、挿抜方向Ａ１に対して傾斜している。
【００２９】
図５は、光トランシーバ２が挿入された状態のケージ本体４１の底板４１ａ付近の構成を詳細に示す斜視図である。なお、この底板４１ａは、図１においてプリント配線基板３１の実装面３１ａと対向する部分である。図５に示すように、ケージ４の底板４１ａには板状のタブ４３が設けられている。タブ４３は、本実施形態における第１係合部である。タブ４３は、スライダ２２の前方に位置する。タブ４３は挿抜方向Ａ１に沿って延び、タブ４３の前端は底板４１ａに繋がっており、タブ４３の後端は自由端となっている。タブ４３の後端は、挿抜方向Ａ１及び方向Ａ２の双方と交差する（例えば直交する）方向Ａ３に弾性的に撓むことができる。また、タブ４３は、筐体２１の底面２１ｄから方向Ａ３に突出する突起２１ｅと係合するための開口部４３ａを有する。突起２１ｅは、本実施形態における第２係合部の第１突起であって、ケージ４のタブ４３と係合することにより、ケージ４からの光トランシーバ２の抜出を防ぐ。タブ４３の後端は、光トランシーバ２がケージ４に挿入される際に突起２１ｅと干渉することを防ぐとともに、タブ４３がケージ４の外側に撓んで突起２１ｅが開口部４３ａに収まるように、ケージ４の外側に向けて湾曲した湾曲部４３ｂとなっている。
【００３０】
図６は、タブ４３付近の筐体２１の構成を詳細に示す斜視断面図である。同図に示すように、本実施形態の光トランシーバ２は、プッシャー２４を更に備える。プッシャー２４は、方向Ａ２に延びる揺動軸２４ａを介して筐体２１に揺動可能に支持されている。プッシャー２４は、スライダ２２の移動と連動して揺動軸２４ａ周りに揺動する。図６（ａ）は揺動前の状態を示し、図６（ｂ）は揺動後の状態を示す。図６（ｂ）に示すように、プッシャー２４は、揺動によってタブ４３を方向Ａ３に押すことにより、タブ４３をケージ４の外側に撓ませてタブ４３と突起２１ｅとの係合を解除させる。
【００３１】
図７は、プッシャー２４の外観を示す斜視図である。同図に示すように、プッシャー２４は、挿抜方向Ａ１及び方向Ａ２に沿って延びる板状を呈している。揺動軸２４ａは、プッシャー２４の後端寄りの部分に設けられており、また、方向Ａ２におけるプッシャー２４の略中央部に位置する。揺動軸２４ａは、プッシャー２４に形成された開口部２４ｆの側面間に架け渡されている。これにより、揺動軸２４ａを支持する筐体２１側の機構を収容するための空間が、揺動軸２４ａの前後に設けられる。
【００３２】
プッシャー２４は、当接部２４ｂを更に有する。当接部２４ｂは、スライダ２２の移動と連動する部位である。当接部２４ｂは、揺動軸２４ａの前方に設けられ、また、方向Ａ２におけるプッシャー２４の略中央部に位置する。図６に示されるように、当接部２４ｂは、スライダ２２が移動する際、スライダ２２の斜面２２ｅと当接する。そして、斜面２２ｅが後方（抜出方向）に移動するに従って、当接部２４ｂは、斜面２２ｅに押し出され、次第に方向Ａ３に沿った外側へ移動する。
【００３３】
プッシャー２４は、押圧部２４ｃを更に有する。図６に示すように、押圧部２４ｃは、プッシャー２４が揺動した際にタブ４３を外側へ押す部位である。本実施形態では、プッシャー２４は一対の押圧部２４ｃを有しており、該一対の押圧部２４ｃは、当接部２４ｂを間に挟んで、方向Ａ２に沿って並んで配置されている。また、一対の押圧部２４ｃは、当接部２４ｂに対して前方に突出している。言い換えれば、当接部２４ｂは、一対の押圧部２４ｃに対して凹部を構成している。従って、挿抜方向Ａ１における押圧部２４ｃと揺動軸２４ａとの距離Ｌ１は、同方向における当接部２４ｂと揺動軸２４ａとの距離Ｌ２よりも長くなっている。
【００３４】
また、図６（ａ）に示すように、本実施形態のプッシャー２４は凸形状部分２４ｇをさらに有する。凸形状部分２４ｇは、スライダ２２の突起２２ｄに向けて凸となっており、当接部２４ｂを含んでいる。また、スライダ２２の突起２２ｄは、凹形状部分２２ｇを更に有する。凹形状部分２２ｇは、筐体２１の底面２１ｄに向けて凹んでおり、斜面２２ｅを含んでいる。この凹形状部分２２ｇの表面は、凸形状部分２４ｇの表面に倣う形状に形成されている。言い換えれば、凸形状部分２４ｇの表面は、凸形状部分２４ｇの表面に沿って湾曲している。これにより、タブ４３と突起２１ｅとが係合している状態において凸形状部分２４ｇが凹形状部分２２ｇに収容される。
【００３５】
図７に示すように、プッシャー２４は、方向Ａ２に沿って並ぶ一対の当接部２４ｅと、該一対の当接部２４ｅ間に形成された凹部２４ｄとを更に有する。一対の当接部２４ｅ及び凹部２４ｄは、プッシャー２４の後端部に形成されている。図８は、一対の当接部２４ｅによるプッシャー２４の動作を示す側面図である。図８（ａ）は、プルタブ２３が抜出方向に引っ張られてスライダ２２が後方に移動している状態を示す。図８（ｂ）は、プルタブ２３を引っ張る力がなくなり、スライダ２２が前方に移動して元の位置に戻った状態を示す。前述したように、スライダ２２が後方に移動すると、プッシャー２４が揺動して押圧部２４ｃが外側に移動する（図８（ａ））。このとき、プッシャー２４の当接部２４ｅは、スライダ２２の底板２２ｃに設けられた斜面２２ｆから離れている。そして、図８（ｂ）に示すように、スライダ２２が前方に移動して元の位置に戻ると、斜面２２ｆが当接部２４ｅに当接し、スライダ２２がそのまま更に前方に移動すると、斜面２２ｆによって当接部２４ｅが外側に押し出される。これにより、プッシャー２４の揺動軸２４ａ周りの角度位置が揺動前の状態に戻る。なお、筐体２１の底面２１ｄには押圧部２４ｃを収容する凹部が形成されており、プッシャー２４の角度位置が揺動前の状態に戻ると、押圧部２４ｃが該凹部に収容される。
【００３６】
前述したように、プルタブ２３を引っ張る力がなくなると、スライダ２２は自動的に前方に移動して元の位置に戻る。図９は、スライダ２２を自動的に前方に移動させるための弾性部材２５を示す斜視図である。図９（ａ）は、プルタブ２３が抜出方向に引っ張られてスライダ２２が後方に移動している状態を示す。図９（ｂ）は、プルタブ２３を引っ張る力がなくなり、スライダ２２が前方に移動して元の位置に戻った状態を示す。これらの図に示すように、本実施形態の弾性部材２５は、所謂ねじりばね（トーションばね）といった形状を有しており、コイル状部分２５ａと、コイル状部分２５ａの両端から互いに反対方向に突出した一対の端部２５ｂとを有する。コイル状部分２５ａは、筐体２１の底面２１ｄから突出した軸２１ｈに挿通されることにより、筐体２１に固定されている。また、一対の端部２５ｂは、スライダ２２の一対の斜面２２ｆを構成する一対の突起部分とそれぞれ係合している。これにより、一対の端部２５ｂは、スライダ２２を挿入方向（前方）に付勢する。
【００３７】
以上に説明した、本実施形態による光トランシーバ挿抜機構１及び光トランシーバ２によって得られる効果について説明する。上述したように、光トランシーバ２をケージ４から抜出する際には、例えばスライダ２２に固定されたプルタブ２３が引っ張られる等により、スライダ２２が筐体２１に対して相対的に移動する。そして、このスライダ２２の移動と連動して、プッシャー２４が揺動軸２４ａ周りに揺動する。これによりプッシャー２４は、タブ４３を押してタブ４３と突起２１ｅとの係合を解除させる。更に、本実施形態の光トランシーバ２では、揺動軸２４ａがスライダ２２とプッシャー２４との連動部位（当接部２４ｂ）に対して後方（抜出方向）に位置する。従って、スライダ２２を後方（抜出方向）に移動させるほど、プッシャー２４がタブ４３を押す作用が強くなる。故に、この光トランシーバ２によれば、図１９に示された構成と比較して、光トランシーバ２とケージ４との係合状態をより確実に解除することができる。
【００３８】
また、本実施形態のように、光トランシーバ２は、スライダ２２に固定されたプルタブ２３を更に備えてもよい。この場合、作業者がプルタブ２３を引っ張ることによってスライダ２２を容易に移動させることができる。
【００３９】
また、本実施形態のように、スライダ２２の移動と連動してプッシャー２４を揺動させる機構は、スライダ２２に設けられ挿抜方向Ａ１に対して傾斜する斜面２２ｅと、プッシャー２４に設けられ斜面２２ｅと当接する当接部２４ｂと、を有してもよい。この場合、スライダ２２が移動すると、当接部２４ｂが斜面２２ｅと当接しながら斜面２２ｅに沿って相対的に移動する（図６参照）。従って、スライダ２２の移動と連動してプッシャー２４を容易に揺動させることができる。
【００４０】
なお、スライダ２２の移動と連動してプッシャー２４を揺動させる機構において、挿抜方向Ａ１に対して傾斜する斜面はプッシャー２４に設けられてもよく、該斜面と当接する当接部はスライダ２２に設けられてもよい。このような場合であっても、スライダ２２の移動と連動してプッシャー２４を容易に揺動させることができる。
【００４１】
また、本実施形態のように、プッシャー２４は、スライダ２２に向けて凸であって当接部２４ｂを含む凸形状部分２４ｇを有し、スライダ２２は、斜面２２ｅを含み凸形状部分２４ｇに倣う凹形状部分２２ｇを有してもよい。これにより、スライダ２２及びプッシャー２４が占める空間の体積を減らすことができ、光トランシーバ２の小型化に寄与できる。また、プッシャー２４を筐体２１の凹部に容易に収容できる（図８（ｂ））。
【００４２】
また、本実施形態のように、揺動軸２４ａ及び当接部２４ｂは、方向Ａ２におけるプッシャー２４の略中央部に位置してもよい。この場合、プッシャー２４の支点と力点とがプッシャー２４の略中央部に並ぶので、揺動時のプッシャー２４の捻れを抑制し、プッシャー２４を滑らかに揺動させることができる。
【００４３】
また、本実施形態のように、プッシャー２４におけるタブ４３を押す位置（押圧部２４ｃ）と揺動軸２４ａとの距離Ｌ１は、当接部２４ｂと揺動軸２４ａとの距離Ｌ２よりも長くてもよい。この場合、当接部２４ｂの揺動距離と比べてタブ４３を押す位置（押圧部２４ｃ）の揺動距離が長くなるので、プッシャー２４がタブ４３を効率良く押すことができる。
【００４４】
また、本実施形態のように、光トランシーバ２は、筐体２１に固定されてスライダ２２を挿入方向に付勢する弾性部材２５を更に備えてもよい。この場合、移動後のスライダ２２を元の位置に容易に（自動的に）戻すことができる。
【００４５】
（変形例）
図１０及び図１１は、上記実施形態の一変形例に係るプッシャー２４Ａの外観を示す斜視図である。図１０はプッシャー２４Ａを筐体２１側から見た外観を示しており、図１１はプッシャー２４Ａを筐体２１とは反対側から見た外観を示している。本変形例に係るプッシャー２４Ａは、上記実施形態のプッシャー２４と以下の点で相違する。
【００４６】
本変形例のプッシャー２４Ａは、一対の押圧部２４ｃの先端同士を繋ぐ連結部２４ｈを有する。連結部２４ｈは、プッシャー２４Ａの前端において方向Ａ２に沿って延びている。その結果、一対の押圧部２４ｃ、連結部２４ｈ、及び当接部２４ｂによって閉じられた開口２４ｊがプッシャー２４Ａに形成されている。開口２４ｊの平面形状は、例えば矩形状である。そして、開口２４ｊとは反対側の連結部２４ｈの側面には、突起２４ｉが設けられている。突起２４ｉは、本実施形態における第２突起であって、連結部２４ｈの中央部分（すなわち一対の押圧部２４ｃの中間部）から前方に突出している。また、本変形例のプッシャー２４Ａは、上記実施形態のプッシャー２４が有する揺動軸２４ａに代えて、円柱状の一対の揺動軸２４ｋを有する。一対の揺動軸２４ｋは、プッシャー２４Ａの後端寄りの部分に設けられており、方向Ａ２におけるプッシャー２４の両側面から方向Ａ２に沿って突出している。なお、本変形例のプッシャー２４Ａには、上記実施形態のプッシャー２４が有する開口部２４ｆ（図７を参照）は設けられていない。プッシャー２４Ａは、一対の揺動軸２４ｋを介して筐体２１に揺動可能に支持される。プッシャー２４Ａは、上記実施形態のプッシャー２４と同様の作用により、スライダ２２の移動と連動して揺動軸２４ｋ周りに揺動する。なお、本変形例のプッシャー２４Ａは、上記実施形態のプッシャー２４が有する凹部２４ｄ（図７を参照）を有していない。当接部２４ｅであるプッシャー２４Ａの後端部は、方向Ａ２に沿って一直線状に延びている。
【００４７】
図１２は、本変形例における筐体２１の底面２１ｄの形状を示す斜視図である。本変形例の底面２１ｄには、上記実施形態の突起２１ｅ（図５を参照）に代えて、突起２１ｉが設けられている。突起２１ｉは、本実施形態における第２係合部の第１突起であって、底面２１ｄから方向Ａ３に沿って突出しており、ケージ４のタブ４３の開口部４３ａ（図５を参照）と係合することによって、ケージ４からの光トランシーバ２の抜出を防ぐ。突起２１ｉの後側の側面は開口部４３ａとの係合面２１ｍとなっており、方向Ａ２及びＡ３の双方に沿って延びている。この係合面２１ｍには、溝２１ｎが形成されている。溝２１ｎは、方向Ａ１を深さ方向とし、突起２１ｉの頂部から、押圧部２４ｃ及び連結部２４ｈを収容するために底面２１ｄに形成された凹部２１ｐの底面に至るまで、方向Ａ３に沿って延在している。
【００４８】
図１３は、プッシャー２４Ａを筐体２１の底面２１ｄに取りつけた様子を示す斜視図である。図１３に示されるように、プッシャー２４Ａの突起２４ｉは、底面２１ｄに形成された突起２１ｉの溝２１ｎに収容され、溝２１ｎと嵌合する。そして、プッシャー２４Ａが揺動するとき、突起２４ｉは、溝２１ｎに案内され、溝２１ｎ内を方向Ａ３に沿って移動可能となっている。
【００４９】
図１４及び図１５は、プッシャー２４Ａの動作の様子を示す斜視図である。図１６は、図１５のXVI−XVI線に沿った斜視断面図である。前述したように、プッシャー２４Ａは、スライダ２２の移動と連動して揺動軸２４ｋ（図１０及び図１１を参照）周りに揺動する。図１４は揺動前の状態を示し、図１５及び図１６は揺動後の状態を示す。図１５及び図１６に示されるように、プッシャー２４Ａが揺動すると、一対の押圧部２４ｃに加えて、連結部２４ｈ及び突起２４ｉがタブ４３に当接する。特に、突起２４ｉは、タブ４３の開口部４３ａの後端側の内縁（エッジ）に当接する（図１６を参照）。そして、一対の押圧部２４ｃ及び連結部２４ｈがタブ４３を外方に押すと同時に、突起２４ｉが開口部４３ａの内縁を押すことにより、タブ４３がケージ４の外側に撓んでタブ４３と突起２１ｉとの係合が解除される。
【００５０】
本変形例のように、筐体２１から方向Ａ３に突出する突起２１ｉがタブ４３の開口部４３ａに係合してもよい。例えばこのような構成により、ケージ４からの光トランシーバ２の抜出を防ぐことができる。そして、本変形例のようにプッシャー２４Ａの突起２４ｉが開口部４３ａの内縁を押すことによりタブ４３と突起２１ｉとの係合を解除させてもよい。更に、突起２１ｉは、方向Ａ３に延在する溝２１ｎを開口部４３ａとの係合面２１ｍに有し、プッシャー２４Ａの突起２４ｉは、溝２１ｎ内を方向Ａ３に移動してもよい。このような構成によれば、係合面２１ｍに接する開口部４３ａの内縁を突起２４ｉによって直接押すことができるので、開口部４３ａが突起２１ｉに引っ掛かる（スタックする）ことを抑制し、タブ４３と突起２１ｉとの係合状態をより確実に解除することができる。
【００５１】
本発明による光トランシーバ及び光トランシーバ挿抜機構は、上述した実施形態に限られるものではなく、他に様々な変形が可能である。例えば、上記実施形態ではスライダ２２の突起２２ｄ及びプッシャー２４が筐体２１の底面２１ｄ上に設けられ、タブ４３がケージ４の底板４１ａに設けられているが、及びスライダの移動に連動してプッシャーを揺動させる機構及びプッシャーは、筐体２１の他の面（側面２１ａ，２１ｂ、または上面２１ｃ）上に設けられてもよく、タブはケージ４の他の板に設けられてもよい。
【００５２】
また、上記実施形態では第１係合部として開口部４３ａを有するタブ４３を例示し、第２係合部として筐体２１の突起２１ｅを例示したが、タブが第１係合部としての突起を有し、筐体が第２係合部としての開口部を有する構成であってもよい。或いは、互いに係合できる構成であれば、第１係合部及び第２係合部の形態は特に限定されない。
【符号の説明】
【００５３】
１…光トランシーバ挿抜機構、２…光トランシーバ、３…ホスト装置、４…ケージ、２１…筐体、２１ａ，２１ｂ…側面、２１ｃ…上面、２１ｄ…底面、２１ｅ…突起、２１ｈ…軸、２２…スライダ、２２ａ，２２ｂ…側板、２２ｃ…底板、２２ｄ…突起、２２ｅ，２２ｆ…斜面、２２ｇ…凹形状部分、２３…プルタブ、２４…プッシャー、２４ａ…揺動軸、２４ｂ，２４ｅ…当接部、２４ｃ…押圧部、２４ｄ…凹部、２４ｆ…開口部、２４ｇ…凸形状部分、２５…弾性部材、２５ａ…コイル状部分、２５ｂ…端部、３１…プリント配線基板、３１ａ…実装面、４１…ケージ本体、４１ａ…底板、４２…開口、４３…タブ、４３ａ…開口部、４３ｂ…湾曲部、２１１，２１２…光レセプタクル、Ａ１…挿抜方向、Ａ２，Ａ３…方向、Ｌ１，Ｌ２…距離。
【図１】
2018191278.tif 000003
【図２】
2018191278.tif 000004
【図３】
2018191278.tif 000005
【図４】
2018191278.tif 000006
【図５】
2018191278.tif 000007
【図６】
2018191278.tif 000008
【図７】
2018191278.tif 000009
【図８】
2018191278.tif 000010
【図９】
2018191278.tif 000011
【図１０】
2018191278.tif 000012
【図１１】
2018191278.tif 000013
【図１２】
2018191278.tif 000014
【図１３】
2018191278.tif 000015
【図１４】
2018191278.tif 000016
【図１５】
2018191278.tif 000017
【図１６】
2018191278.tif 000018
【図１７】
2018191278.tif 000019
【図１８】
2018191278.tif 000020
【図１９】
2018191278.tif 000021